(57)【特許請求の範囲】
【請求項１】
筒状の軸受け部を有するハウジングと、前記軸受け部から一方側へ突出すると共に前記軸受け部に回転可能に保持された軸体と、前記軸体の回転動作を検出する回転検出手段と、前記軸体を押圧することによって駆動されるプッシュスイッチと、を備えた回転操作型電気部品であって、
前記軸体は、前記軸受け部に挿通される内軸と前記内軸を挿通させる貫通部を有する外軸とを有して構成され、前記外軸は、前記内軸を挿通させて前記内軸に対して軸線方向に移動可能であると共に当該内軸と一体的に回転可能となっており、
前記内軸と前記外軸との間には、前記外軸を一方側へ付勢するバネ部材が配設されると共に、前記内軸には、前記外軸の抜け止めを防止する抜け止め部材が取り付けられており、
前記外軸は、前記バネ部材によって前記一方側へ付勢された状態で、下端部が前記軸受け部の先端部と所定の間隔を存して対向しており、前記外軸を他方側へ押圧操作した際に、前記内軸を介して前記プッシュスイッチが駆動され、更に強い押圧力が加えられた際に、前記バネ部材の付勢力に抗して前記外軸が他方側へ移動し、当該外軸の下端部と前記軸受け部の先端部とが当接することを特徴とする回転操作型電気部品。
【請求項２】
前記外軸は、筒状部と当該筒状部の内部に位置し前記貫通部が形成されたバネ受け部とを有すると共に、前記内軸は、前記筒状部に配置される軸部と当該軸部から張り出した張り出し部とを有し、
前記バネ部材がコイルバネからなると共に、前記バネ部材が、前記バネ受け部と前記張り出し部との間で挟持された状態で前記筒状部内に配設されている、ことを特徴とする請求項１に記載の回転操作型電気部品。
【請求項３】
前記張り出し部は、前記外軸が押圧操作される前の初期状態において、一部が前記筒状部から露出すると共に、前記軸受け部の前記先端部と離間して対向しており、前記外軸を他方側へ押圧した際に、前記プッシュスイッチが駆動した後であって、前記外軸の下端部と前記軸受け部の先端部とが当接する前に、前記張り出し部が、前記軸受け部の前記先端部と当接する、ことを特徴とする請求項２に記載の回転操作型電気部品。
【請求項４】
前記内軸が金属からなると共に、前記抜け止め部材は、前記バネ受け部の一方側に配設された金属製のリング状部材からなり、前記内軸の軸部の先端には、傾斜部が設けられている、ことを特徴とする請求項２又は請求項３に記載の回転操作型電気部品。
【請求項５】
前記外軸の下端部と前記軸受け部の先端部とが当接した際に、前記内軸の前記張り出し部が前記外軸の筒状部内に収まっている、ことを特徴とする請求項２乃至請求項４のいずれかに記載の回転操作型電気部品。
【請求項６】
前記外軸の軸線方向の移動が、前記外軸に設けられた離間する複数の案内部によって案内されると共に、前記内軸の前記張り出し部には、当該内軸に対する前記外軸の回転を規制する回転規制部が設けられている、ことを特徴とする請求項２乃至請求項５のいずれかに記載の回転操作型電気部品。
【発明の詳細な説明】
【技術分野】
【０００１】
本発明は、回転操作型電気部品に関し、特に車両等に取り付けられるプッシュスイッチ付きの回転操作型電気部品に関する。
【背景技術】
【０００２】
車両等に取り付けられる回転操作型電気部品として、例えば、特許文献１に開示されたプッシュスイッチ付き回転操作型の電気部品９００が知られている。電気部品９００の構造を図９に示す。
【０００３】
電気部品９００は、外方に突出した操作軸９０２の操作によって電気信号を出力する本体部（図示せず）を備えると共に、操作軸９０２の先端部には、操作軸９０２が圧入される穴部９０４ｂを有する受け部材９０４と、操作軸９０２の軸線方向に移動可能に、操作軸９０２（受け部材９０４）に挿通されたツマミ部９０５とを備えている。また、操作軸９０２に取り付けられた受け部材９０４とツマミ部９０５（受け面９０５ｅ）との間で、ツマミ部９０５を前方に押し出すように付勢する弾性部材９０６が操作軸９０２の周りに配置されている。尚、ツマミ部９０５の脚部９０５ｂの先端に設けられた爪部９０５ｇが孔９０４ｄに挿通されて、受け部材９０４に係合することで、ツマミ部９０５が受け部材９０４に抜け止めされている。
【０００４】
このような構成により、電気部品９００は、操作軸９０２が取り付けられた本体部とツマミ部９０５との間に、ツマミ部９０５を前方に押し出すように付勢する弾性部材９０６が配置されたことから、ツマミ部９０５に弾性部材９０６の付勢力よりも大きな、過大な押圧力が加えられたときには、ツマミ部９０５のみが軸線方向に移動して、この過大な押圧力を吸収して、本体部や操作軸９０２などの破損を防止できると共に、耐久性に優れた電気部品９００を提供出来るという効果を奏することができる。
【先行技術文献】
【特許文献】
【０００５】
【特許文献１】特開２００１−０３５２９９号公報
【発明の概要】
【発明が解決しようとする課題】
【０００６】
しかしながら、電気部品９００では、ツマミ部９０５に軸線方向の強い力が加えられた場合に、ツマミ部９０５の前面部９０５ｃが受け部材９０４の基部９０４ａに当接して、ツマミ部９０５の移動が規制されるようになっている。そして、前面部９０５ｃは肉厚に形成されていないので、極めて強い力がツマミ部９０５に加えられた場合には、ツマミ部９０５即ち操作部が破損する恐れがあるという課題があった。
【０００７】
本発明はこのような従来技術の実情に鑑みてなされたもので、操作部に強い力が加えられた場合に、操作部の突出量を減少させることができると共に、操作部が破損しにくい回転操作型電気部品を提供することを目的とする。
【課題を解決するための手段】
【０００８】
上記課題を解決するために本発明における回転操作型電気部品は、筒状の軸受け部を有するハウジングと、前記軸受け部から一方側へ突出すると共に前記軸受け部に回転可能に保持された軸体と、前記軸体の回転動作を検出する回転検出手段と、前記軸体を押圧することによって駆動されるプッシュスイッチと、を備えた回転操作型電気部品であって、前記軸体は、前記軸受け部に挿通される内軸と前記内軸を挿通させる貫通部を有する外軸とを有して構成され、前記外軸は、前記内軸を挿通させて前記内軸に対して軸線方向に移動可能であると共に当該内軸と一体的に回転可能となっており、前記内軸と前記外軸との間には、前記外軸を一方側へ付勢するバネ部材が配設されると共に、前記内軸には、前記外軸の抜け止めを防止する抜け止め部材が取り付けられており、前記外軸は、前記バネ部材によって前記一方側へ付勢された状態で、下端部が前記軸受け部の先端部と所定の間隔を存して対向しており、前記外軸を他方側へ押圧操作した際に、前記内軸を介して前記プッシュスイッチが駆動され、更に強い押圧力が加えられた際に、前記バネ部材の付勢力に抗して前記外軸が他方側へ移動し、当該外軸の下端部と前記軸受け部の先端部とが当接する、という特徴を有する。
【０００９】
このように構成された回転操作型電気部品は、内軸と、操作部（ツマミ部）を取り付けることが可能な外軸と、で軸体を構成し、外軸に通常の押圧操作時より強い押圧力が加えられた際には、外軸がバネ部材の付勢力に抗して軸線方向のハウジング側へ移動するので、軸体の突出量を減少させることができる。また、外軸が軸線方向に移動した際には、外軸の下端部と軸受け部の先端部とが当接する。その結果、操作部の突出量を減少させることができると共に、操作部が破損しにくい回転操作型電気部品を提供することができる。
【００１０】
また、上記の構成において、前記外軸は、筒状部と当該筒状部の内部に位置し前記貫通部が形成されたバネ受け部とを有すると共に、前記内軸は、前記筒状部に配置される軸部と当該軸部から張り出した張り出し部とを有し、前記バネ部材がコイルバネからなると共に、前記バネ部材が、前記バネ受け部と前記張り出し部との間で挟持された状態で前記筒状部内に配設されている、という特徴を有する。
【００１１】
このように構成された回転操作型電気部品は、コイルバネからなるバネ部材が、外軸の筒状部内に配置されているので、バネ部材が露出しない。そのため、バネ部材が変形することを防ぐことができる。
【００１２】
また、上記の構成において、前記張り出し部は、前記外軸が押圧操作される前の初期状態において、一部が前記筒状部から露出すると共に、前記軸受け部の前記先端部と離間して対向しており、前記外軸を他方側へ押圧した際に、前記プッシュスイッチが駆動した後であって、前記外軸の下端部と前記軸受け部の先端部とが当接する前に、前記張り出し部が、前記軸受け部の前記先端部と当接する、という特徴を有する。
【００１３】
このように構成された回転操作型電気部品は、内軸の移動が、内軸の張り出し部とハウジングの軸受け部の先端部との当接によって制限されるので、プッシュスイッチに強い力が加えられることを抑制して、プッシュスイッチの破壊を防止することができる。
【００１４】
また、上記の構成において、前記内軸が金属からなると共に、前記抜け止め部材は、前記バネ受け部の一方側に配設された金属製のリング状部材からなり、前記内軸の軸部の先端には、傾斜部が設けられている、という特徴を有する。
【００１５】
このように構成された回転操作型電気部品は、リング状部材を用いることによって外軸の抜け止めを容易に行うことができる。また、軸部及びリング状部材が金属からなるため、外軸の抜け止めが確実に行われる。
【００１６】
また、上記の構成において、前記外軸の下端部と前記軸受け部の先端部とが当接した際に、前記内軸の前記張り出し部が前記外軸の筒状部内に収まっている、という特徴を有する。
【００１７】
このように構成された回転操作型電気部品は、外軸に取り付けられる操作部への影響をなくすことができるため、操作部となるツマミの設計自由度を高めることができる。
【００１８】
また、上記の構成において、前記外軸の軸線方向の移動が、前記外軸に設けられた離間する複数の案内部によって案内されると共に、前記内軸の前記張り出し部には、当該内軸に対する前記外軸の回転を規制する回転規制部が設けられている、という特徴を有する。
【００１９】
このように構成された回転操作型電気部品は、外軸の軸線方向への移動を円滑に行なうことができる。
【発明の効果】
【００２０】
本発明の回転操作型電気部品は、内軸と、操作部（ツマミ部）を取り付けることが可能な外軸と、で軸体を構成し、外軸に通常の押圧操作時より強い押圧力が加えられた際には、外軸がバネ部材の付勢力に抗して軸線方向のハウジング側へ移動するので、軸体の突出量を減少させることができる。また、外軸が軸線方向に移動した際には、外軸の下端部と軸受け部の先端部とが当接する。その結果、操作部の突出量を減少させることができると共に、操作部が破損しにくい回転操作型電気部品を提供することができる。
【図面の簡単な説明】
【００２１】
【図１】実施形態における回転操作型電気部品を構成する各部材を示す分解斜視図である。
【図２】回転操作型電気部品の外観を示す斜視図である。
【図３】回転操作型電気部品の平面図である。
【図４】軸体の構成を示す斜視図である。
【図５】回転操作型電気部品の正面図である。
【図６】回転操作型電気部品の断面図である。
【図７】回転操作型電気部品の動作を示す断面図である。
【図８】外軸の操作荷重とストローク量との関係を示すグラフである。
【図９】従来例に係る回転操作型電気部品を示す断面図である。
【発明を実施するための形態】
【００２２】
［実施形態］
以下、本発明の実施形態について図面を参照しながら説明する。本実施形態に係る回転操作型電気部品１００は、例えば、車載用の音響機器や映像機器（例えば、カーステレオ装置やカーナビゲーションシステムなど）の筐体の前面パネルに取り付けられ、音響機器等の電源のオン・オフ操作や入力ソースの切り換え操作などのために用いられる。尚、本実施の形態に係る回転操作型電気部品１００の用途については、これらに限定されるものではなく適宜変更が可能である。
【００２３】
図１乃至図６を参照して、回転操作型電気部品１００の全体構成、及び軸体１０の構成について説明する。図１は、回転操作型電気部品１００を構成する各部材を示す分解斜視図であり、図２は、回転操作型電気部品１００の外観を示した斜視図である。図３は、回転操作型電気部品１００の平面図であり、図４は、軸体１０を構成する各部材を示す斜視図であり、図５は回転操作型電気部品１００の正面図である。また、図６は回転操作型電気部品の、図３に示したＡ−Ａ線から見た断面図である。尚、図４においては、理解をし易くするために、抜け止め部材１７が内軸１１に取り付けられた状態を示している。
【００２４】
回転操作型電気部品１００は、図１に示すように、内軸１１、外軸１３、バネ部材１５、及び抜け止め部材１７からなる軸体１０と、軸受け部２１、取り付け部材２３、及びベース部材２５からなるハウジング２０と、可動接点３１、ラバー３３、及びスイッチ接点部材３５からなるプッシュスイッチ３０と、モールド部材３７と、回転検出接点部材４１及び回転体４２からなる回転検出手段４０と、で構成される。
【００２５】
図２に示すように、ハウジング２０は、軸体１０を保持する筒状の軸受け部２１と、底部を形成するベース部材２５と、軸受け部２１の−Ｚ側の略正方形形状をした部分とモールド部材３７とベース部材２５とを挟み込んで一体化する金属製の取り付け部材２３と、から構成されている。尚、モールド部材３７もハウジング２０を構成する部材である。
【００２６】
取り付け部材２３の＋Ｚ側の面は、図３及び図５に示すように、軸線方向Ｄ１に対して垂直方向に延在する平坦部２３ｂとなっており、回転操作型電気部品１００が車載用の音響機器の筐体に取り付けられる時、平坦部２３ｂが音響機器等の前面パネルに対し平行になるように取り付けられる。取り付け部材２３には、図２及び図３に示すように、基板取り付け部２３ａが設けられており、回転操作型電気部品１００が取り付けられる車載用の音響機器等内の基板（図示せず）に半田等によって取り付けられる。
【００２７】
モールド部材３７は合成樹脂材からなり、プッシュスイッチ３０用のスイッチ接点部材３５及び回転検出手段４０用の回転検出接点部材４１がインサート成型された部材である。スイッチ接点部材３５のスイッチ端子３５ｂ及び回転検出接点部材４１の回転検出端子４１ｂは、取り付け部材２３の基板取り付け部２３ａが車載用の音響機器等内の基板に取り付けられる際に同時に取り付けられる。
【００２８】
軸体１０は、図２に示すように、ハウジング２０の筒状の軸受け部２１から一方側（＋Ｚ側）へ突出すると共に軸受け部２１に回転可能に保持されている。軸体１０は、図６に示すように、軸受け部２１に挿通される内軸１１と内軸１１を挿通させる貫通部１３ａを有する外軸１３とを有して構成され、外軸１３は、内軸１１を挿通させて内軸１１に対して軸線方向Ｄ１に移動可能であると共に内軸１１と一体的に回転可能となっている。
【００２９】
外軸１３は、図６に示すように、筒状部１３ｃと筒状部１３ｃの内部に位置し貫通部１３ａが形成されたバネ受け部１３ｄとを有している。外軸１３の外側表面には、図２及び図３に示すように、複数の突起部１３ｇが形成されており、回転操作型電気部品１００の操作部となるツマミ（図示せず）を取り付けることが可能となっている。また、内軸１１は、軸線方向Ｄ１に延伸した金属からなると共に、図４及び図６に示すように、一部が外軸１３の筒状部１３ｃに配置される軸部１１ａと、軸部１１ａの中央部において外側に張り出した張り出し部１１ｂとから形成されている。詳細には、張り出し部１１ｂの一方側である上部に位置する軸部１１ａは筒状部１３ｃ内に配置されると共に、張り出し部１１ｂの他方側である下部に位置する軸部１１ａは軸受け部２１に挿入されている。
【００３０】
図４及び図６に示すように、内軸１１と外軸１３との間には、外軸１３を一方側（＋Ｚ側）へ付勢するバネ部材１５が配設されると共に、内軸１１には、外軸１３の抜け止めを防止する抜け止め部材１７が取り付けられている。
【００３１】
バネ部材１５はコイルバネ１５ａからなると共に、バネ部材１５は、図６に示すように、外軸１３のバネ受け部１３ｄと内軸１１の張り出し部１１ｂとの間で挟持（圧縮）された状態で外軸１３の筒状部１３ｃ内に配設されている。従って、バネ部材１５が外部に露出することがない。
【００３２】
抜け止め部材１７は、ＣリングあるいはＯリングと呼ばれる弾性を有する金属製のリング状部材１７ａからなる。詳細には、抜け止め部材１７は、一部が繋がっておらずＣ字状をなすリング状に形成された金属線材によって構成されている。内軸１１の軸部１１ａの一方側（＋Ｚ側）の先端近傍には、環状に溝部が形成されており、この溝部にリング状部材１７ａが取り付けられる。図６に示すように、内軸１１のリング状部材１７ａが取り付けられた部分は、外軸１３のバネ受け部１３ｄの一方側（＋Ｚ側）に配置される。また、内軸１１の軸部１１ａの先端（上端）には、傾斜部１１ｃが設けられている。軸部１１ａの先端に傾斜部１１ｃが設けられているため、リング状部材１７ａを軸部１１ａに取り付けやすくなっている。尚、内軸１１が外軸１３の上端部１３ｆから突出することがないように、内軸１１及び外軸１３の寸法が設定されている。
【００３３】
図４に示すように、外軸１３の筒状部１３ｃには、互いに離間する複数（本実施形態では一対）の案内部１３ｅが凸状に設けられていて、外軸１３の軸線方向Ｄ１への移動が、この一対の案内部１３ｅによって案内される。また、内軸１１の張り出し部１１ｂには、複数（本実施形態では一対）の回転規制部１１ｄが凹状に設けられていて、外軸１３の一対の案内部１３ｅが一対の回転規制部１１ｄに保持されることによって、内軸１１に対する外軸１３の回転を規制することができる。尚、外軸１３は内軸１１の回転規制部１１ｄによって案内部１３ｅが案内され、軸線方向Ｄ１へ移動可能となっていると換言することもできる。
【００３４】
ハウジング２０内には、図５に示すように、軸体１０の回転動作を検出する回転検出手段４０と、軸体１０を押圧することによって駆動されるプッシュスイッチ３０と、が設けられている。
【００３５】
回転検出手段４０は、コードパターンが設けられた回転体４２と回転体４２に摺接する回転検出接点部材４１とによって構成される。図６に示すように、回転検出手段４０の＋Ｚ側に配設された駆動体４３は、軸体１０の回動操作によって回転動作する。回転体４２は、駆動体４３の回転に伴って回転動作するように構成されている。回転検出手段４０による検出信号は、ハウジング２０内にある回転検出接点４１ａ及びハウジング２０外に延伸している回転検出端子４１ｂからなる回転検出接点部材４１を介して接続された音響機器等に出力される。尚、駆動体４３は、回転体４２とともに回転するが、軸線方向Ｄ１に対しては、回転体４２と独立して移動可能となっている。
【００３６】
プッシュスイッチ３０は、図６に示すように、スイッチ固定接点３５ａ、可動接点３１及びラバー３３によって構成されている。プッシュスイッチ３０は、軸体１０の押圧操作によって前述した駆動体４３が押圧され、そのためラバー３３が押圧されると共に変形して可動接点３１を押圧する。その結果、可動接点３１がスイッチ固定接点３５ａに当接することでスイッチング動作が行なわれる。そのスイッチング信号は、ハウジング２０内にあるスイッチ固定接点３５ａ及びハウジング２０外に延伸しているスイッチ端子３５ｂからなるスイッチ接点部材３５を介して接続された音響機器等に出力される。
【００３７】
次に、図７及び図８を参照して、回転操作型電気部品１００の動作について説明する。図７は、回転操作型電気部品１００の動作を示す断面図である。図７（ａ）は、回転操作型電気部品１００の外軸１３が押圧操作される前の状態を示す断面図であり、図７（ｂ）は、外軸１３が通常に押圧操作された際の状態を示す断面図であり、図７（ｃ）は、外軸１３が押圧操作された後、更に強い押圧力が加えられた際の状態を示す断面図である。また、図８は、外軸１３が押圧操作される前の状態から、外軸１３が通常に押圧操作され、更に外軸１３に対し強い押圧力が加えられた場合の、外軸１３の操作荷重とストローク量（移動量）との関係を示すグラフである。
【００３８】
図７（ａ）に示すように、外軸１３が押圧操作される前の初期状態においては、外軸１３がバネ部材１５によって一方側（＋Ｚ側）へ付勢された状態で、外軸１３の下端部１３ｂがハウジング２０の軸受け部２１の先端部２１ａとの間で所定の間隔を存して対向している。また、外軸１３が押圧操作される前の初期状態においては、内軸１１の張り出し部１１ｂの内軸下端部１１ｅも、軸受け部２１の先端部２１ａと離間して対向している。尚、この初期状態において、張り出し部１１ｂの一部（下部）は、外軸１３の筒状部１３ｃから他方側（下方側）へ突出した状態で露出している。
【００３９】
外軸１３が押圧操作される前の状態、即ち外軸１３のストロークが０ｍｍの時、図８に示すように、外軸１３には軸線方向Ｄ１における操作荷重（作動力）が掛かっていない。また、プッシュスイッチ３０のラバー３３にも押圧力が掛かっていないため、図７（ａ）に示すように、ラバー３３は変形していない。ここで、外軸１３が押圧操作される前の状態における、取り付け部材２３の平坦部２３ｂから外軸１３の上端部１３ｆまでの距離をＬ０とする。
【００４０】
図７（ｂ）に示すように、回転操作型電気部品１００の外軸１３が通常に押圧操作された際の状態、即ち、外軸１３を他方側（−Ｚ側）へ押圧操作した際には、内軸１１及び駆動体４３を介してプッシュスイッチ３０が駆動される。即ち、プッシュスイッチ３０のラバー３３の脚部が座屈するように変形し、可動接点３１とスイッチ固定接点３５ａとが当接する。プッシュスイッチ３０が駆動した後には、内軸１１の張り出し部１１ｂの内軸下端部１１ｅが、ハウジング２０の軸受け部２１の先端部２１ａと当接する。
【００４１】
回転操作型電気部品１００の外軸１３が通常に押圧操作された際には、図８に示すように、外軸１３の操作荷重が次第に増大し、操作荷重がＰ１（Ｎ）まで上昇した後、ラバー３３の変形に伴って一旦下降して、その後、操作荷重はＰ２（Ｎ）までに達する。この時、内軸１１の張り出し部１１ｂの内軸下端部１１ｅが、ハウジング２０の軸受け部２１の先端部２１ａと当接し、外軸１３のストロークはＬ１（ｍｍ）となっている。従って、外軸１３の上端部１３ｆの位置、即ち取り付け部材２３の平坦部２３ｂからの距離は、（Ｌ０−Ｌ１）（ｍｍ）となる。
【００４２】
次に、回転操作型電気部品１００の外軸１３へ、更に強い押圧力（操作荷重）が加えられた際、図７（ｃ）に示すように、外軸１３の筒状部１３ｃ内に収納されているバネ部材１５が圧縮され、このバネ部材１５の付勢力に抗して外軸１３が他方側（−Ｚ側）へ移動し、外軸１３の下端部１３ｂと軸受け部２１の先端部２１ａとが当接する。尚、外軸１３の下端部１３ｂと軸受け部２１の先端部２１ａとが当接した際に、内軸１１の張り出し部１１ｂは外軸１３の筒状部１３ｃ内に収まっている。
【００４３】
回転操作型電気部品１００の外軸１３が通常に押圧操作された後に、更に強い押圧力（操作荷重）が加えられた際には、バネ部材１５が圧縮されるため、図８に示すように、外軸１３の操作荷重はＰ２（Ｎ）から徐々に増大し、操作荷重がＰ３（Ｎ）まで上昇する。この時、外軸１３のストロークはＬ２（ｍｍ）となる。従って、外軸１３の上端部１３ｆの位置、即ち取り付け部材２３の平坦部２３ｂからの距離は、（Ｌ０−Ｌ２）（ｍｍ）となる。
【００４４】
このように、外軸１３を他方側（−Ｚ側）へ押圧操作した際に、内軸１１を介してプッシュスイッチ３０が駆動され、更に強い押圧力が加えられた際に、バネ部材１５の付勢力に抗して外軸１３が他方側（−Ｚ側）へ（Ｌ２−Ｌ１）の分だけ移動し、外軸１３の下端部１３ｂと軸受け部２１の先端部２１ａとが当接するため、軸体１０の突出量を、（Ｌ２−Ｌ１）の分減少させることができる。
【００４５】
また、外軸１３を他方側（−Ｚ側）へ押圧した際に、プッシュスイッチ３０が駆動した後であって、外軸１３の下端部１３ｂと軸受け部２１の先端部２１ａとが当接する前に、内軸１１の張り出し部１１ｂが、軸受け部２１の先端部２１ａと当接する。そのため、内軸１１の移動が、内軸１１の張り出し部１１ｂとハウジング２０の軸受け部２１の先端部２１ａとの当接によって制限される。
【００４６】
以下、本実施形態としたことによる効果について説明する。
【００４７】
回転操作型電気部品１００は、内軸１１と、操作部（ツマミ）を取り付けることが可能な外軸１３と、で軸体１０を構成し、外軸１３に通常の押圧操作時より強い押圧力が加えられた際には、外軸１３がバネ部材１５の付勢力に抗して軸線方向Ｄ１のハウジング２０側へ移動するので、軸体１０の突出量を減少させることができる。また、外軸１３が軸線方向Ｄ１に移動した際には、外軸１３の下端部１３ｂと軸受け部２１の先端部２１ａとが当接する。その結果、操作部の突出量を減少させることができると共に、操作部が破損しにくい回転操作型電気部品１００を提供することができる。
【００４８】
また、コイルバネ１５ａからなるバネ部材１５が外軸１３の筒状部１３ｃに配置されているので、バネ部材１５が露出しない。そのため、バネ部材１５が変形することを防ぐことができる。
【００４９】
また、内軸１１の移動が、内軸１１の張り出し部１１ｂとハウジング２０の軸受け部２１の先端部２１ａとの当接によって制限されるので、プッシュスイッチ３０に強い力が加えられることを抑制して、プッシュスイッチ３０の破壊を防止することができる。
【００５０】
また、抜け止め部材１７としてリング状部材１７ａを用いることによって外軸１３の抜け止めを容易に行うことができる。また、軸部１１ａ及びリング状部材１７ａが金属からなるため、外軸１３の抜け止めが確実に行われる。
【００５１】
また、外軸１３の下端部１３ｂと軸受け部２１の先端部２１ａとが当接した際に、内軸１１の張り出し部１１ｂが外軸１３の筒状部１３ｃ内に収まっているため、外軸１３に取り付けられる操作部への影響をなくすことができる。そのため、操作部となるツマミの設計自由度を高めることができる。
【００５２】
また、外軸１３が複数（一対）の案内部１３ｅによって案内されると共に、内軸１１の張り出し部１１ｂに内軸１１に対する外軸１３の回転を規制する回転規制部１１ｄが設けられているので、外軸１３の軸線方向Ｄ１の移動を円滑に行なうことができる。
【００５３】
以上説明したように、本発明の回転操作型電気部品は、内軸と、操作部を取り付けることが可能な外軸と、で軸体を構成し、外軸に通常の押圧操作時より強い押圧力が加えられた際には、外軸がバネ部材の付勢力に抗して軸線方向のハウジング側へ移動するので、軸体の突出量を減少させることができる。また、外軸が軸線方向に移動した際には、外軸の下端部と軸受け部の先端部とが当接する。その結果、操作部の突出量を減少させることができると共に、操作部が破損しにくい回転操作型電気部品を提供することができる。
【００５４】
本発明は上記の実施形態に限定されるものではなく、要旨を逸脱しない範囲で種々変更して実施することが可能である。例えば、上記の実施形態においては、抜け止め部材であるリング状部材として、Ｃ字状のリング状に形成された金属線材によって構成されたもので説明したが、これに限られない。すなわち、抜け止め部材は、スピードナットと呼ばれる弾性を有する金属板材からなるリング状部材であっても良い。
【符号の説明】
【００５５】
１０    軸体
１１    内軸
１１ａ  軸部
１１ｂ  張り出し部
１１ｃ  傾斜部
１１ｄ  回転規制部
１１ｅ  内軸下端部
１３    外軸
１３ａ  貫通部
１３ｂ  下端部
１３ｃ  筒状部
１３ｄ  バネ受け部
１３ｅ  案内部
１５    バネ部材
１５ａ  コイルバネ
１７    抜け止め部材
１７ａ  リング状部材
２０    ハウジング
２１    軸受け部
２１ａ  先端部
２３    取り付け部材
２３ａ  基板取り付け部
２３ｂ  平坦部
２５    ベース部材
３０    プッシュスイッチ
３１    可動接点
３３    ラバー
３５    スイッチ接点部材
３５ａ  スイッチ固定接点
３５ｂ  スイッチ端子
３７    モールド部材
４０    回転検出手段
４１    回転検出接点部材
４１ａ  回転検出接点
４１ｂ  回転検出端子
４２    回転体
４３    駆動体
１００  回転操作型電気部品
Ｄ１    軸線方向  
【図１】
0006396846.tif 000002
【図２】
0006396846.tif 000003
【図３】
0006396846.tif 000004
【図４】
0006396846.tif 000005
【図５】
0006396846.tif 000006
【図６】
0006396846.tif 000007
【図７】
0006396846.tif 000008
【図８】
0006396846.tif 000009
【図９】
0006396846.tif 000010